(57)【要約】【課題】  ペーパーホルダーの前方からペーパーが垂れ下がっていることによる不快感を解消し得るペーパーホルダーを提供する。【解決手段】  ロール紙Ｐが装着されたロール保持部材２をホルダー本体１に載置して使用するペーパーホルダーであり、ホルダー本体１は、左右に所定の間隔を離して設けられた一対の側部支持部材６，６と、側部支持部材の前端縁間に設けられた前覆い部材８とを備えている。側部支持部材には上方が開口するように凹ませた軸受部１０，１０が形成されていると共に、前覆い部材の下縁部には紙切部１２が形成されている。また、ロール保持部材は、横長棒状に形成されており、ロール紙の中空状の芯材に挿入して該芯材を保持する芯保持部１５と、芯保持部の両端に設けられ側部支持部材の軸受部に当接させる支承部１６，１６と、支承部の一方の端部に設けられた摘子部１９とからなっている。【選択図】図１
2018064854.tif 000002
【特許請求の範囲】
【請求項１】
帯状のペーパーを巻回してなるロール紙が装着されたロール保持部材をホルダー本体に載置して使用するペーパーホルダーであって、
前記ホルダー本体は、左右に所定の間隔を離して設けられた一対の側部支持部材と、該側部支持部材の前端縁間に設けられた前覆い部材とを備え、該側部支持部材には上方が開口するように凹ませた軸受部が形成されていると共に、該前覆い部材の下縁部には紙切部が形成されており、
前記ロール保持部材は、横長棒状に形成されており、前記ロール紙の中空状の芯材に挿入して該芯材を保持する芯保持部と、該芯保持部の両端に設けられ前記側部支持部材の軸受部に当接させる支承部と、該支承部の一方の端部に設けられた摘子部とからなることを特徴とするペーパーホルダー。
【請求項２】
前記側部支持部材の前側上縁を前記軸受部に向けて傾斜させ、該側部支持部材に前記ロール保持部材を載置すると該ロール保持部材が自重で該軸受部に転がり込むようにしたことを特徴とする請求項１に記載したペーパーホルダー。
【請求項３】
前記ロール保持部材の外周であり、前記摘子部が設けられている側の前記支承部と前記芯保持部との境界に鍔部を形成したことを特徴とする請求項１又は２に記載したペーパーホルダー。
【発明の詳細な説明】
【技術分野】
【０００１】
本発明は、帯状のペーパーを巻回してなるロール紙に使用されるペーパーホルダーに関するものである。
【背景技術】
【０００２】
ペーパーホルダーの代表的なものとして、トイレットペーパーホルダーが存在しているが、一般に広く使用されているトイレットペーパーホルダーは、図８に示したように、取付基板Ａの両側縁のそれぞれに前方へ突出する一対の支持板Ｂ，Ｂを設け、これら支持板Ｂ，Ｂ間に帯状のトイレットペーパーＣを巻回してなるロール紙Ｄを回転自在に支持することで、トイレットペーパーＣを前方へ引き出し可能に保持している。また、支持板Ｂ，Ｂの基部上端に前側を円弧状に湾曲させたカバー板Ｅを回転自在に軸支することで、カバー板Ｅをロール紙Ｄの上に被着させている。そして、使用に際しては、カバー板Ｅの下から前方に垂れ下がっているトイレットペーパーＣの先端部分を片方の手で掴んで適当な長さに引き出した後、他方の手でカバー板Ｅの上面を押さえながら、引き出されたトイレットペーパーＣをさらに上方へ引っ張り、カバー板Ｅの前縁で適当な長さのトイレットペーパーＣを切断するようにしている。例えば、特許文献１に示されているものも同様の構成からなっている。
【先行技術文献】
【特許文献】
【０００３】
【特許文献１】特開平６−３４３５７４号公報
【発明の概要】
【発明が解決しようとする課題】
【０００４】
ところで、こうした従来のトイレットペーパーホルダーでは、カバー板Ｅの上面を押さえながらトイレットペーパーＣを引っ張らないと、カバー板Ｅが上方に回転してしまうため、カバー板Ｅの前縁に沿ってトイレットペーパーＣを真直ぐ綺麗に切ることが難しかった。そのため、使用者によっては、トイレットペーパーＣを所望の長さに引き出した後、カバー板Ｅの前縁を使わずに引きちぎることがあり、図８に示すような汚らしい切り端になることがあり、次にトイレに入った者に対して不快感を与えることがあった。また、引きちぎるまではいかないとしても、切断したトイレットペーパーの先端部分が前方にだらりと垂れ下がったままになっている場合も多々あり、やはり、次にトイレに入った者に対して不潔感を与える原因となっていた。さらに、トイレットペーパーホルダーは、通常、便座に座る使用者の横の壁に設けられていることから、使用者は上半身を横向きにしないとトイレットペーパーホルダーに両手を届かせることができない。そのため、幼児、老人、あるいは障害者等、横向きの体勢を取り難い者にとって非常に使い勝手が悪いという問題が生じていた。
【０００５】
そこで、本発明は、前記課題を解決すべく、トイレットペーパーの先端部分が前方にだらりと垂れ下がっている状態をすぐに是正することができると共に、所望の長さのトイレットペーパーを片手で切断することができるトイレットペーパーホルダーを提供することを目的としている。
【課題を解決するための手段】
【０００６】
かかる目的を達成するため本発明に係るペーパーホルダーは、帯状のペーパーを巻回してなるロール紙が装着されたロール保持部材をホルダー本体に載置して使用するペーパーホルダーであって、前記ホルダー本体は、左右に所定の間隔を離して設けられた一対の側部支持部材と、該側部支持部材の前端縁間に設けられた前覆い部材とを備え、該側部支持部材には上方が開口するように凹ませた軸受部が形成されていると共に、該前覆い部材の下縁部には紙切部が形成されており、前記ロール保持部材は、横長棒状に形成されており、前記ロール紙の中空状の芯材に挿入して該芯材を保持する芯保持部と、該芯保持部の両端に設けられ前記側部支持部材の軸受部に当接させる支承部と、該支承部の一方の端部に設けられた摘子部とからなることを特徴としている。
【０００７】
また、本発明に係るペーパーホルダーは、前記側部支持部材の前側上縁を前記軸受部に向けて傾斜させ、該側部支持部材に前記ロール保持部材を載置すると該ロール保持部材が自重で該軸受部に転がり込むようにしておくことが望ましい。
【０００８】
さらに、本発明に係るペーパーホルダーは、前記ロール保持部材の外周であり、前記摘子部が設けられている側の前記支承部と前記芯保持部との境界に鍔部を形成しておくことが好ましい。
【発明の効果】
【０００９】
本発明に係るペーパーホルダーによれば、ロール保持部材の摘子部を回転させることで、ペーパーホルダーの前方に垂れ下がったペーパーを前覆い部材の内側に隠してしまうことができる。また、それのみならず、ペーパーを常に片手で綺麗に切断することができる。
【図面の簡単な説明】
【００１０】
【図１】ペーパーホルダーの斜視図。
【図２】ペーパーホルダーの分解斜視図。
【図３】ロール紙をロール保持部材に装着した状態を示す斜視図。
【図４】ペーパーホルダーの正面図。
【図５】ペーパーホルダーの横断面図。
【図６】ロール保持部材を側部支持部材に載置する状態を示すペーパーホルダーの部分断面側面図。
【図７】ロール保持部材を回転させる状態を示すペーパーホルダーの側面図。
【図８】従来のペーパーホルダーの斜視図。
【発明を実施するための形態】
【００１１】
以下、本発明に係るペーパーホルダーの実施の形態を図面に基づき説明する。図１はペーパーホルダーの斜視図、図４はペーパーホルダーの正面図、図５はペーパーホルダーの横断面図である。本発明に係るペーパーホルダーは、帯状のペーパーを巻回してなるロール紙Ｐが装着されたロール保持部材２をホルダー本体１に載置することによって使用される。なお、この実施の形態では、本発明に係るペーパーホルダーをトイレットペーパーホルダーに適用した例を用いて説明する。
【００１２】
前記ホルダー本体１は、トイレの壁面等に固定される背面板５の左右端のそれぞれから一対の側部支持部材６，６を前方に突出させると共に、背面板５と側部支持部材６，６の上部に天板７を設け、さらに、左右の側部支持部材６，６の前端縁間に前覆い部材８を設けて形成している。このうち、左右の側部支持部材６，６は、所定の間隔、すなわち、ロール紙Ｐの幅よりも少し広い間隔となるように配置されている。また、側部支持部材６，６は、左側面視略Ｌ字型の板状に形成されており、Ｌ字の内側の角部前側に上方が開放するように円弧状に凹ませた軸受部１０，１０が形成されている。また、側部支持部材６，６の前方に突出する下方部分の上端、すなわち、Ｌ字の内側辺の上向きの部分を軸受部１０，１０に向けて緩やかに下傾させて転動部１１，１１としている。さらに、側部支持部材６，６の前端縁下側は、内側へ下傾させてあり、ここに板状の前覆い部材８が設けられている。従って、前覆い部材８は、下方へ行くに従って後側へ傾斜するように配置されている。さらに、前覆い部材８の下端内側には、その幅方向に亘る長さに形成された紙切部としてのカッター１２が装着されている。また、背面板５の上縁と側部支持部材６，６の最上辺に天板７が設けられており、天板７の前側部分、すなわち、側部支持部材６，６の最上辺よりも前側は庇部７ａになっており、この庇部７ａは前側に向かって上向きに傾斜させてある。ちなみに、天板７の庇部７ａの傾斜と側部支持部材６，６の転動部１１，１１の傾斜は、同角度の傾斜となっている。なお、天板７の庇部７ａの前縁と前覆い部材８の上縁の間は、ロール紙Ｐが装着されたロール保持部材２を差し入れるだけの間隔を空けて開放されているが、上述のとおり、天板７の庇部７ａの傾斜と側部支持部材６，６の転動部１１，１１の傾斜が同じ角度になっているため、ロール紙Ｐを装着したロール保持部材２を差し入れる間口が斜め上方に開放されることになり、ロール保持部材２を容易に差し入れられるようになっている。
【００１３】
前記ロール保持部材２は、横長棒状、具体的には、全体が横長円筒形状で、ロール紙Ｐの中空状の芯材１３に挿入して該芯材１３を保持する芯保持部１５と、この芯保持部１５の両端に設けられ、該芯保持部１５よりも径が小さい細径部とからなっている。そして、この細径部の一部、正確には、芯保持部１５と隣接する部分がホルダー本体１の側部支持部材６，６の軸受部１０，１０に当接させる支承部１６，１６になっている。なお、芯保持部１５の長手方向の長さはロール紙Ｐの幅よりも若干長く設定されており、これにより、芯保持部１５にロール紙Ｐの芯材１３を嵌合させた際、ロール紙Ｐの両側面が支承部１６，１６を覆ってしまうことがないようにしている。また、芯保持部１５の外径は、ロール紙Ｐの芯材１３よりもやや細径となっている。もっとも、芯保持部１５の外周面には、弾性を有する複数の帯状片１７，１７・・が設けられており、この帯状片１７，１７・・を含む外径は、ロール紙Ｐの外径よりもやや太径になっている。さらに、芯保持部１５の一方の端部であり、支承部１６との境界部分には、円形板状の鍔部１８が形成されている。そして、この鍔部１８の直径は、ロール紙Ｐの芯材１３の直径よりも大きくなるように設定されている。なお、ロール保持部材２の細径部の端部には、支承部１６，１６となる部分、すなわち、ホルダー本体１の側部支持部材６，６の軸受部１０，１０に当接させる部分を残すようにして、摘子１９とキャップ２０がそれぞれ装着されている。具体的には、鍔部１８が設けられている側の端部には摘子１９が、それと反対側の端部にはキャップ２０が装着されている。
【００１４】
次に、上記のように構成された本実施形態に係るペーパーホルダーの使用方法について説明する。まず、ペーパーホルダーを使用するに先立ち、予めロール紙Ｐをロール保持部材２に装着しておく。具体的には、図２に示されているように、ロール紙Ｐのペーパーの先端Ｔが前向きの状態において、ロール保持部材２のキャップ２０が設けられている側の端部をロール紙Ｐの左側から芯材１３に挿入し、ロール紙Ｐの一側面がロール保持部材２の鍔部１８に当接するまで押し込む。こうすることで、図３に示されているように、ロール保持部材２の芯保持部１５がロール紙Ｐの芯材１３内側に嵌合され、且つロール紙Ｐがロール保持部材２に対して定位置にセットされることになる。すなわち、ロール保持部材２の鍔部１８は、ロール紙Ｐをセットする位置決めとしての役割を果たしていると同時に、ロール紙Ｐの一側面がロール保持部材２の支承部１６を覆ってしまうことを防止している。なお、ロール保持部材２の芯保持部１５は、その帯状片１７，１７・・を含む外径がロール紙Ｐの芯材１３の内径よりも若干太くなるように形成されている。そのため、ロール保持部材２の芯保持部１５がロール紙Ｐの芯材１３に挿入されると、ロール紙Ｐの弾力性によって、芯保持部１５の帯状片１７，１７・・が芯材１３の内周面に弾性的に当接する。そのため、ロール紙Ｐは芯保持部１５に回転不能に止着され、ロール紙Ｐがロール保持部材２に対して空回りしてしまうことがなくなる。
【００１５】
上記の手順でロール紙Ｐをロール保持部材２に装着したら、これをホルダー本体１に載置する。具体的には、ロール保持部材２に装着されたロール紙Ｐのペーパーの先端Ｔが前向きの状態で、ロール保持部材２の摘子１９及びキャップ２０のそれぞれがホルダー本体１の側部支持部材６，６の外側に位置するように、ロール保持部材２をホルダー本体１にセットする。こうすると、ロール保持部材２の支承部１６，１６がホルダー本体１の側部支持部材６，６に形成されている軸受部１０，１０に当接することになり、ロール保持部材２がホルダー本体１に対して回転自在に支持されることになる。この場合、ロール保持部材２の摘子１９は、左側に位置することになる。なお、ホルダー本体１の側部支持部材６，６の転動部１１，１１は、軸受部１０，１０に向けて下傾させてあるため、図６（ａ）に示すように、ロール保持部材２の支承部１６，１６を側部支持部材６，６の転動部１１，１１に載置すると、図６（ｂ）に示すように、ロール保持部材２が、その自重で軸受部１０，１０へ自然と転がり込むことになる。このため、ロール紙Ｐを補充するにあたっては、ロール紙Ｐを新たに装着したロール保持部材２を前覆い部材８、天板７、及び左右の側部支持部材６，６の間から差し入れると共に、ロール保持部材２の支承部１６，１６を側部支持部材６，６の転動部１１，１１に載置するだけでよいことになる。また、天板７の庇部７ａが側部支持部材６，６の転動部１１，１１の傾斜と同じ角度で上向き傾斜させてあるため、ロール保持部材２を前覆い部材８、天板７、及び左右の側部支持部材６，６の間から差し入れるにあたり、その間口が広くなって差し入れ易くなっている。
【００１６】
ロール保持部材２のホルダー本体１へのセットが完了すると、ロール保持部材２を回転させてロール紙Ｐから垂れ下がるペーパーの長さを自由に調整することができる。すなわち、ロール保持部材２の摘子１９を掴んで回転させると、ロール紙Ｐがロール保持部材２と一体的に回転するため、図７（ａ）（ｂ）に示すように、ホルダー本体１の前覆い部材８から下方へ垂れ下がるトイレットペーパーＰａの長さを適宜調節することができる。これにより、トイレットペーパーＰａの先端を常に前覆い部材８の内側に隠しておくことができ、トイレットペーパーＰａの先端が汚らしく垂れ下がることによる見た目の不快感を解消することができる。
【００１７】
さらに、トイレットペーパーＰａを使用するにあたっては、摘子１９を時計回り方向へ回転させ、トイレットペーパーＰａの先端を図７（ａ）に示されているように前覆い部材８の下方へ若干垂れ下がるようにする。次いで、トイレットペーパーＰａの先端を手で摘んで下方へ引くと、ロール紙Ｐが装着されたロール保持部材２が回転し、トイレットペーパーＰａがさらに引き出される。そして、トイレットペーパーＰａを必要な長さに引き出したところで上斜め方向に引っ張ると、トイレットペーパーＰａは前覆い部材８の内側下縁に設けられたカッター１２に対して鋭角に当たることになり、カッター１２によって切断される。特に、前覆い部材８がトイレットペーパーＰａの下方を覆い、その下縁がトイレットペーパーＰａの最下端部よりも下方に位置していることから、両手を使わなくてもトイレットペーパーＰａを簡単に切断することができる。
【００１８】
なお、この実施形態に基づく図面に示されたペーパーホルダーでは、便座に座った使用者の左側の壁にホルダー本体１が取り付けられている場合に、ロール保持部材２の摘子１９が使用者側に位置するようになっているが、このペーパーホルダーは、ホルダー本体１が便座に座った使用者の右側の壁に取り付けられている場合でも対応可能である。すなわち、ロール紙Ｐのペーパーの先端Ｔが前向きの状態において、ロール保持部材２のキャップ２０が設けられている側の端部をロール紙Ｐの右側から芯材１３に挿入し、さらに、ロール保持部材２を、その摘子１９がホルダー本体１に対して右側に位置するように載置する。こうすることで、ホルダー本体１が使用者の右側の壁に取り付けられている場合でも、ロール保持部材２の摘子１９を使用者の手前側に位置させることができる。換言すれば、このペーパーホルダーは、左右いずれの壁に装着されたとしても、構成をまったく変更することなく使用することができる。
【００１９】
ちなみに、上記実施の形態では、ホルダー本体が背面板、一対の側部支持部材、天板、及び前覆い部材から形成されている例を示したが、これらの構成要素のうち、背面板と天板は必ずしも存在していなくてもよい。すなわち、本発明に係るホルダー本体は、少なくとも、一対の側部支持部材と前覆い部材が存在していれば、その目的を達成することができる。また、上記実施の形態において、側部支持部材の例として、左側面視Ｌ字型の板材により形成されたものを示したが、これに限られず、任意の形状等を選択することができる。すなわち、一対の側部支持部材に上方が開口するように凹ませた軸受部が形成されていれば、その形状等は問題とならない。さらに、上記実施の形態において、前覆い部材は、ホルダー本体の下方部のみを覆うようにし、ロール紙を装着したロール保持部材をホルダー本体の前側から差し入れられるようにした例を示したが、これに限られない。すなわち、例えば、ロール紙を装着したロール保持部材をホルダー本体の側方から差し入れられるようにしてあれば、前覆い部材は、ロール紙の前側全体を覆うようにすることも可能である。また、上記実施の形態では、前覆い部材に形成された紙切部の例として、前覆い部材の下端内側に別途カッターを設けた例を示したが、必ずしもこのようにする必要はなく、例えば、前覆い部材の下端縁を三角波形状の凹凸状に切り欠いて、前覆い部材の下縁自体を紙切り部とすることも可能である。
【符号の説明】
【００２０】
Ｐ      ロール紙
１      ホルダー本体
２      ロール保持部材
６      側部支持部材
８      前覆い部材
１０    軸受部
１２    カッター（紙切部）
１３    芯材
１５    芯保持部
１６    支承部
１８    鍔部
１９    摘子部
【図１】
2018064854.tif 000003
【図２】
2018064854.tif 000004
【図３】
2018064854.tif 000005
【図４】
2018064854.tif 000006
【図５】
2018064854.tif 000007
【図６】
2018064854.tif 000008
【図７】
2018064854.tif 000009
【図８】
2018064854.tif 000010